(57)【要約】【課題】  簡単な構造で、防水性を確保することができるスイッチ構造およびそれを備えた電子機器を提供する。【解決手段】  操作部１２をスライド可能に収納する筒状収納部１１が内部に突出して設けられた下部ケース３と、筒状収納部１１の外周に装着される筒状部１６、および筒状収納部１１を塞いだ状態で操作部１２によって押された際に弾性変形してキー接点部１４をスイッチ動作させる膨出部を有するカバー部材１３と、を備え、筒状部１６には、筒状収納部１１の外周面に環状に圧接する圧接突起部２０が複数列設けられている。従って、筒状収納部１１の外周に筒状部１６を装着するだけで良いので、構造が簡単で、カバー部材１３を筒状収納部１１に簡単にかつ容易に取り付けることができ、かつ複数列の圧接突起部２０によって、筒状部１６を筒状収納部１１の外周面に確実に圧接させることができるので、防水性を確保することができる。【選択図】        図３
2018166110.tif 000002
【特許請求の範囲】
【請求項１】
操作部を収納する筒状収納部が内部に突出して設けられたケースと、
前記ケースの前記筒状収納部の外周に装着される筒状部、および前記筒状収納部を塞いだ状態で前記操作部によって押された際に弾性変形してスイッチ接点部をスイッチ動作させる膨出部を有するカバー部材と、を備え、
前記カバー部材の前記筒状部には、前記筒状収納部の外周面に環状に圧接する圧接突起部が複数列設けられており、
前記カバー部材は、前記ケースの内部側に位置する前記筒状収納部の内端部に圧接する圧接部が設けられている、ことを特徴とするスイッチ構造。
【請求項２】
操作部を収納する筒状収納部が内部に突出して設けられたケースと、
前記ケースの前記筒状収納部の外周に装着される筒状部、および前記筒状収納部を塞いだ状態で前記操作部によって押された際に弾性変形してスイッチ接点部をスイッチ動作させる膨出部を有するカバー部材と、を備え、
前記カバー部材の前記筒状部には、前記筒状収納部の外周面に環状に圧接する圧接突起部が複数列設けられており、
前記スイッチ接点部は、前記膨出部に対応する前記カバー部材の外面に配置された基板と、この基板に設けられて前記膨出部に対応する固定接点と、前記膨出部に設けられて前記固定接点に接離可能に接触する可動接点と、を有している、ことを特徴とするスイッチ構造。
【請求項３】
請求項１または請求項２に記載のスイッチ構造において、
前記カバー部材は、前記筒状部、前記膨出部、および前記複数列の圧接突起部が弾性材料で一体に形成されている、ことを特徴とするスイッチ構造。
【請求項４】
請求項１〜請求項３のいずれかに記載のスイッチ構造において、
前記複数列の圧接突起部それぞれは、前記カバー部材の前記筒状部の内周面と外周面とに突出する断面がほぼ円形状に形成されている、ことを特徴とするスイッチ構造。
【請求項５】
請求項１〜請求項４のいずれかに記載のスイッチ構造において、
前記カバー部材は、光透過性を有する弾性材料で形成されている、ことを特徴とするスイッチ構造。
【請求項６】
請求項１〜請求項５のいずれかに記載されたスイッチ構造を備えていることを特徴とする電子機器。
【発明の詳細な説明】
【技術分野】
【０００１】
この発明は、携帯端末機、携帯電話機、携帯情報処理装置などの電子機器に用いられるスイッチ構造およびそれを備えた電子機器に関する。
【背景技術】
【０００２】
例えば、スイッチ構造においては、特許文献１に記載されているように、ケースに操作釦を収容する釦収容部を設け、この釦収容部内に防水シートを設けると共に、この防水シートに形成された筒状の膨出部を釦収容部に設けられた貫通孔に弾力的に嵌め込み、操作釦の操作に応じて防水シートの膨出部を伸縮させてケース内のスイッチを操作するように構成されたものが知られている。
【先行技術文献】
【特許文献】
【０００３】
【特許文献１】特開２０１４−１３５１７９号公報
【発明の概要】
【発明が解決しようとする課題】
【０００４】
しかしながら、このようなスイッチ構造では、ケースに設けられた釦収容部内に防水シートを設ける構成であるから、防水シートを釦収容部内に設けた状態で、釦収容部をケースに取り付けなければならないため、ケースの構造が複雑になるという問題があるほか、防水シートに設けられた筒状の膨出部をそれ自体の弾性力で釦収容部の貫通孔に嵌め込む構成であるから、膨出部を釦収容部の貫通孔に確実に固定することができず、十分な防水効果が得られないという問題がある。
【０００５】
このため、このスイッチ構造では、釦収容部の貫通孔の縁部に位置する防水シートに補強部材をインサート成型によって埋め込み、この補強部材によって釦収容部の貫通孔に嵌め込まれる膨出部を補強しなければならないため、防水シートの構造が複雑になり、その製作が面倒であるという問題がある。
【０００６】
この発明が解決しようとする課題は、簡単な構造で、防水性を確保することができるスイッチ構造およびそれを備えた電子機器を提供することである。
【課題を解決するための手段】
【０００７】
この発明に係るスイッチ構造は、操作部を収納する筒状収納部が内部に突出して設けられたケースと、前記ケースの前記筒状収納部の外周に装着される筒状部、および前記筒状収納部を塞いだ状態で前記操作部によって押された際に弾性変形してスイッチ接点部をスイッチ動作させる膨出部を有するカバー部材と、を備え、前記カバー部材の前記筒状部には、前記筒状収納部の外周面に環状に圧接する圧接突起部が複数列設けられており、前記カバー部材は、前記ケースの内部側に位置する前記筒状収納部の内端部に圧接する圧接部が設けられている、ことを特徴とする。
また、この発明に係る他の態様のスイッチ構造は、操作部を収納する筒状収納部が内部に突出して設けられたケースと、前記ケースの前記筒状収納部の外周に装着される筒状部、および前記筒状収納部を塞いだ状態で前記操作部によって押された際に弾性変形してスイッチ接点部をスイッチ動作させる膨出部を有するカバー部材と、を備え、前記カバー部材の前記筒状部には、前記筒状収納部の外周面に環状に圧接する圧接突起部が複数列設けられており、前記スイッチ接点部は、前記膨出部に対応する前記カバー部材の外面に配置された基板と、この基板に設けられて前記膨出部に対応する固定接点と、前記膨出部に設けられて前記固定接点に接離可能に接触する可動接点と、を有している、ことを特徴とする。
【発明の効果】
【０００８】
この発明によれば、ケースに設けられた筒状収納部内に操作部を収納した状態で、筒状収納部の外周にカバー部材の筒状部を装着するだけで良いので、構造が簡単で、カバー部材を筒状収納部に簡単にかつ容易に取り付けることができると共に、複数列の圧接突起部によって、カバー部材の筒状部を筒状収納部の外周面に確実に圧接させることができるので、防水性を確保することができる。
【図面の簡単な説明】
【０００９】
【図１】この発明を携帯端末機に適用した一実施形態を示した正面図である。
【図２】図１に示された携帯端末機の裏面図である。
【図３】図２に示された携帯端末機のＡ−Ａ矢視におけるスイッチ部の拡大断面図である。
【図４】図３に示されたスイッチ部のカバー部材を示した拡大断面図である。
【図５】図３に示されたスイッチ部において、操作部を押圧操作してキー接点部をスイッチ動作させた状態を示した拡大断面図である。
【発明を実施するための形態】
【００１０】
以下、図１〜図５を参照して、この発明を携帯端末機に適用した一実施形態について説明する。
この携帯端末機は、図１および図２に示すように、前後方向（図１では上下方向）に長い長方形状の機器ケース１を備えている。この機器ケース１は、上部ケース２と下部ケース３とを有し、これらの内部にモジュール（図示せず）が組み込まれるように構成されている。
【００１１】
上部ケース２は、図１に示すように、上面が長方形のほぼ平板状に形成され、図２に示すように、その外周の側面部が下部ケース３に取り付けられるように構成されている。この場合、上部ケース２の上面におけるほぼ上辺側半分には、図１に示すように、表示窓部４が設けられており、そのほぼ下辺側半分には、キー入力部５が設けられている。
【００１２】
表示窓部４は、図１に示すように、上部ケース２の上面にほぼ長方形状に形成され、上部ケース２内に設けられた表示パネル４ａが対応して配置され、この表示パネルに４ａに表示された情報が上部ケース２の上方から見えるように構成されている。キー入力部５は、テンキー、カーソルキー、ファンクションキーなどの携帯端末機に必要な各種のキーを備えている。
【００１３】
下部ケース３は、図２に示すように、その裏面（図２では紙面の表面）における長手方向に沿う中央部がほぼ平坦状に形成されていると共に、長手方向に沿う両側面部が裏面に向けて円弧状に湾曲して形成され、この側面部の上部（図２では紙面の裏面側に位置する下部）に上部ケース２の側面部の下部が取り付けられるように構成されている。
【００１４】
この下部ケース３の上辺部側に位置する裏面（図２では紙面の表面）には、図２に示すように、光学読取部（図示せず）の読取窓部６が設けられている。この光学読取部は、機器ケース１内に設けられ、レーザ光線を下部ケース３の読取窓部６から機器ケース１の外部に出射させ、そのレーザ光線の反射光を受光することにより、物品のバーコードなどを読み取るように構成されている。
【００１５】
また、この下部ケース３の下辺部側には、図２に示すように、電池蓋７が電池収納部（図示せず）を覆って取り付けられている。さらに、この下部ケース３の前後方向（図２では上下方）におけるほぼ中間部に位置する両側部には、トリガー用のスイッチ釦８がそれぞれ設けられている。
【００１６】
ところで、下部ケース３の読取窓部６の近傍に位置する裏面には、図２および図３に示すように、リセット用のスイッチ部１０が設けられている。このスイッチ部１０は、下部ケース３に設けられた筒状収納部１１と、この筒状収納部１１内に収納された操作部１２と、筒状収納部１１の外周に装着されるカバー部材１３と、操作部１２によってオン―オフ動作するスイッチ接点部であるキー接点部１４と、を備えている。
【００１７】
筒状収納部１１は、図３に示すように、下部ケース３の内面に、その内部に向けて円筒状に突出して形成されている。この場合、下部ケース３の裏面（図３では上面）には、筒状収納部１１の内径よりも小さい貫通孔１５が、その中心部と筒状収納部１１の中心軸とを一致させた状態で設けられている。
【００１８】
操作部１２は、図３に示すように、ほぼ円柱状に形成されている。この操作部１２は、その外径が筒状収納部１１の内径よりも小さく、かつ下部ケース３の貫通孔１５の内径よりも大きく形成されている。また、この操作部１２は、その軸方向の長さ、つまり上下方向の長さが筒状収納部１１の軸方向の長さとほぼ同じ長さに形成されている。これにより、操作部１２は、その上端面が下部ケース３の貫通孔１５から外部に露呈する状態で、筒状収納部１１内にその軸方向（上下方向）に沿ってスライド可能に収納されている。
【００１９】
カバー部材１３は、シリコーン樹脂、ウレタン樹脂、エラストマなどの弾力性を有する合成樹脂で形成されている。このカバー部材１３は、図３に示すように、筒状収納部１１の外周に装着される筒状部１６と、下部ケース３の内部側に位置する筒状収納部１１の内端部１１ａを塞ぐ膨出部１７と、を有し、これが一体に形成された構成になっている。
【００２０】
筒状部１６は、図３および図４に示すように、その内径が筒状収納部１１の外径と同じか、それよりも少し小さい円筒状に形成されている。また、この筒状部１６の下部は、その肉厚が筒状部１６の上部側の肉厚よりも厚い厚肉部１８に形成されている。この厚肉部１８は、筒状収納部１１の肉厚とほぼ同じ肉厚だけ、筒状部１６の上部側の肉厚よりも厚く形成されている。
【００２１】
これにより、厚肉部１８は、図３および図４に示すように、その内周部が筒状部１６内に突出した状態で形成されている。このため、この厚肉部１８は、筒状部１６が筒状収納部１１の外周面に装着された際に、厚肉部１８の上端面が、下部ケース３の内部側に位置する筒状収納部１１の内端部１１ａに弾接するように構成されている。
【００２２】
また、この筒状部１６の厚肉部１８の上端面には、図３および図４に示すように、筒状収納部１１の内端部１１ａに圧接する圧接部１９が設けられている。すなわち、この圧接部１９は、厚肉部１８の上端面における内周面側に位置した状態で、上方に向けて円弧状に突出して形成されている。これにより、この圧接部１９は、筒状部１６が筒状収納部１１の外周面に装着された際に、筒状収納部１１の内端部１１ａに弾力的に圧縮変形された状態で圧接するように構成されている。
【００２３】
また、この筒状部１６には、図３および図４に示すように、筒状収納部１１の外周面に環状に圧接する圧接突起部２０が複数列（この実施形態では２列）設けられている。これら複数列の圧接突起部２０それぞれは、筒状部１６が筒状収納部１１の外周面に装着された際に、筒状収納部１１の外周面に環状に巻き付いて装着され、この状態でそれぞれ弾力的に圧縮変形されて筒状収納部１１の外周面に圧接するように構成されている。
【００２４】
この場合、複数列の圧接突起部２０は、図４に示すように、筒状部１６の内周面と外周面とに突出する断面ほぼ円形状に形成されている。このため、これら複数列の圧接突起部２０は、図３に示すように、筒状部１６が筒状収納部１１の外周面に装着された際に、筒状部１６の外周面に突出する円弧状の部分２０ｂによって、筒状部１６の内周面に突出する円弧状の部分２０ａが、筒状収納部１１の外周面に強く押し付けられるように構成されている。
【００２５】
これにより、複数列の圧接突起部２０それぞれは、図３および図４に示すように、筒状部１６の内周面に突出する円弧状の部分２０ａが、弾力的に押し潰された状態、つまり弾力的に圧縮変形した状態で、筒状収納部１１の外周面に環状に圧接するように構成されている。すなわち、複数列の圧接突起部２０それぞれは、筒状収納部１１の外周面を環状に締め付けた状態で圧接することにより、筒状部１６を筒状収納部１１の外周面に強固に装着させるように構成されている。
【００２６】
一方、カバー部材１３の膨出部１７は、図３および図４に示すように、筒状部１６の厚肉部１８における内周面の下部にリング状のフランジ部２１を介してドーム形状に形成されている。この場合、リング状のフランジ部２１は、筒状部１６の厚肉部１８における内周面の下部に一体に形成されている。膨出部１７は、リング状のフランジ部２１における内周面の上部にドーム形状に膨らんだ状態で設けられている。この膨出部１７は、肉厚が薄く形成されて弾性変形し易いドーム形状に形成されている。
【００２７】
これにより、膨出部１７は、図３および図４に示すように、下部ケース３の内部側に位置する筒状収納部１１の内端部１１ａ内に向けて突出した状態で、筒状収納部１１の内端部１１ａ側を塞ぐように構成されている。この場合、膨出部１７は、その中央部に肉厚の厚い押圧部１７ａが上下に突出して形成されている。
【００２８】
このため、膨出部１７は、図３および図４に示すように、押圧部１７ａによって筒状収納部１１内に収納された操作部１２を弾力的に押し上げ、操作部１２の上端面を下部ケース３の貫通孔１５の周縁に押し当てるように構成されている。また、この膨出部１７は、操作部１２によって上方から押された際に、弾性変形してスイッチ接点部であるキー接点部１４をスイッチ動作させるように構成されている。
【００２９】
キー接点部１４は、図３に示すように、下部ケース３の内部側に位置するカバー部材１３の下面に設けられて膨出部１７に対応する基板２２と、この基板２２に膨出部１７に対応して設けられた一対の固定接点２３と、膨出部１７内に設けられて一対の固定接点２３に接離可能に接触する可動接点２４と、を有している。基板２２は、剛性の高い材料からなり、カバー部材１３の下面に接着剤２２ａによって取り付けられている。
【００３０】
一対の固定接点２３は、図３に示すように、膨出部１７の押圧部１７ａの下面に対応した状態で基板２２の上面に設けられている。可動接点２４は、膨出部１７内に位置する押圧部１７ａの下面に設けられ、基板２２上に設けられた一対の固定接点２３に対応するように構成されている。
【００３１】
これにより、可動接点２４は、図３に示すように、操作部１２によって膨出部１７が上方から押されて弾性変形した際に、一対の固定接点２３に接離可能に接触するように構成されている。また、この可動接点２４は、膨出部１７が弾性復帰して操作部１２を押し上げた際に、一対の固定接点２３から離れるように構成されている。
【００３２】
次に、このような携帯端末機におけるリセット用のスイッチ部１０の作用について説明する。
まず、このスイッチ部１０を下部ケース３に組み込む場合について説明する。この場合には、下部ケース３に一体に形成された筒状収納部１１内に操作部１２を上下方向にスライド可能な状態で収納する。
【００３３】
この状態で、カバー部材１３の筒状部１６を下部ケース３の内部側に位置する筒状収納部１１の内端部１１ａ側から筒状収納部１１の外周に装着する。このときには、筒状部１６を弾力的に押し広げて筒状収納部１１の外周面に装着する。そして、筒状部１６の厚肉部１８の上端面に設けられた圧接部１９を筒状収納部１１の内端部１１ａに当接させ、カバー部材１３の膨出部１７を筒状収納部１１の内端部１１ａ内に対応させる。
【００３４】
これにより、筒状部１６の圧接部１９が筒状収納部１１の内端部１１ａに弾力的に押し潰された状態で、つまり弾力的に圧縮変形されて圧接した状態で、筒状部１６に環状に設けられた複数列の圧接突起部２０が筒状収納部１１の外周面にそれぞれ弾力的に圧縮変形された状態で圧接する。
【００３５】
この状態では、複数列の圧接突起部２０が筒状収納部１１の外周面を締め付けた状態で筒状収納部１１の外周面に圧接している。このため、筒状部１６が筒状収納部１１の外周面から抜け出さないように、筒状部１６が筒状収納部１１の外周面に装着される。これにより、筒状収納部１１に対する筒状部１６の抜け出しによる筒状部１６の傾きを防ぎ、筒状収納部１１に対する筒状部１６の取付状態を安定させる。
【００３６】
この場合、複数列の圧接突起部２０は、筒状部１６の内周面と外周面とに突出する断面ほぼ円形状に形成されている。このため、筒状部１６の外周面に突出する円弧状の部分２０ｂによって、筒状部１６の内周面に突出する円弧状の部分２０ａが、筒状収納部１１の外周面に強く押し付けられる。
【００３７】
これにより、複数列の圧接突起部２０は、筒状部１６の内周面に突出する円弧状の部分２０ａが、弾力的に押し潰された状態、つまり弾力的に圧縮変形された状態で、筒状収納部１１の外周面に強く締め付けられて圧接する。このため、筒状部１６が筒状収納部１１の外周面に確実にかつ強固に装着される。これにより、筒状収納部１１の内端部１１ａがカバー部材１３によって密封されるので、防水性が確保される。
【００３８】
また、この状態では、カバー部材１３の膨出部１７がドーム形状に弾力的に膨らんでいることにより、筒状収納部１１内に収納された操作部１２が膨出部１７の弾性力によって押し上げられ、操作部１２の上端面が下部ケース３の貫通孔１５の周縁に弾力的に押し当てられる。これにより、操作部１２の上端面が下部ケース３の貫通孔１５を塞いだ状態で、この貫通孔１５を通して操作部１２の上端面の一部が下部ケース３から裏面側（図３では上面側）に露出する。
【００３９】
また、この状態では、カバー部材１３の膨出部１７がドーム形状に弾力的に膨らんでいることにより、膨出部１７内に位置する押圧部１７ａの下面に設けられたキー接点部１４の可動接点２４が、カバー部材１３の下面に設けられた基板２２上の一対の固定接点２３から離れた状態になる。これにより、キー接点部１４がオフ状態になる。
【００４０】
次に、このようなリセット用のスイッチ部１０の動作について説明する。
この場合には、下部ケース３の貫通孔１５に細い棒状部材（図示せず）を外部から挿入して、操作部１２をカバー部材１３の膨出部１７の弾性力に抗して押す。すると、図５に示すように、カバー部材１３の膨出部１７が操作部１２によって押されて弾性変形する。
【００４１】
このときには、筒状部１６が複数列の圧接突起部２０によって筒状収納部１１の外周面に圧接しているため、図５に示すように、カバー部材１３の膨出部１７が操作部１２によって押されて弾性変形しても、筒状部１６が筒状収納部１１の外周面から抜け出すことがなく、筒状収納部１１に対する筒状部１６の抜け出しによる筒状部１６の傾きが抑制され、筒状収納部１１に対する筒状部１６の取付状態を安定させ、この安定した状態を維持する。
【００４２】
また、カバー部材１３の膨出部１７が操作部１２によって押されて弾性変形した際には、図５に示すように、膨出部１７内に位置する押圧部１７ａの下面に設けられた可動接点２４が、カバー部材１３の下部に配置された基板２２上の一対の固定接点２３に接触して、一対の固定接点２３を導通させる。これにより、キー接点部１４がオン動作する。
【００４３】
また、操作部１２によるカバー部材１３の膨出部１７の押圧操作が解除された際には、図３に示すように、押圧されたカバー部材１３の膨出部１７が初期状態に弾性復帰する。すると、操作部１２が押し上げられて、可動接点２４が一対の固定接点２３から離れる。これにより、キー接点部１４がオフ状態になり、操作部１２が初期状態に戻る。
【００４４】
このように、この携帯端末機におけるリセット用のスイッチ部１０によれば、操作部１２をスライド可能に収納する筒状収納部１１が内部に突出して設けられた下部ケース３と、この下部ケース３の筒状収納部１１の外周に装着される筒状部１６、および筒状収納部１１を塞いだ状態で操作部１２によって押された際に、弾性変形してキー接点部１４をスイッチ動作させる膨出部１７を有するカバー部材１３と、を備え、このカバー部材１３の筒状部１６には、筒状収納部１１の外周面に環状に圧接する圧接突起部２０が複数列設けられていることにより、簡単な構造で、防水性を確保することができる。
【００４５】
すなわち、このリセット用のスイッチ部１０では、下部ケース３に設けられた筒状収納部１１内に操作部１２を収納した状態で、筒状収納部１１の外周にカバー部材１３の筒状部１６を装着するだけで良いので、構造が簡単で、カバー部材１３を筒状収納部１１に簡単にかつ容易に取り付けることができると共に、カバー部材１３の筒状部１６に環状に設けられた複数列の圧接突起部２０によって、カバー部材１３を筒状収納部１１の外周面に確実に圧接させることができるので、防水性を確保することができる。
【００４６】
この場合、筒状部１６が複数列の圧接突起部２０によって筒状収納部１１の外周面に圧接していることにより、筒状部１６が筒状収納部１１の外周面から抜け出すことが抑制されるので、筒状収納部１１に対する筒状部１６の抜け出しによる筒状部１６の傾きを防ぐことができ、これにより筒状収納部１１に対する筒状部１６の取付状態を常に一定の状態に安定させることができる。このため、スイッチ部１０の組立時に、筒状収納部１１に対するカバー部材１３の取付バラつきを防ぎ、安定した防水性能を確保することができる。
【００４７】
これにより、このリセット用のスイッチ部１０では、カバー部材１３の膨出部１７が、筒状収納部１１を塞いだ状態で、操作部１２を弾力的に押し上げると共に、操作部１２によって押された際に弾性変形する構成であるから、膨出部１７の弾性変形に応じて操作部１２を筒状収納部１１内で円滑にかつ良好にスライドさせることができる。
【００４８】
この場合、カバー部材１３は、筒状部１６、膨出部１７、および複数の圧接突起部２０が、シリコーン樹脂、ウレタン樹脂、エラストマなどの弾性材料で一体に形成されていることにより、カバー部材１３を簡単にかつ容易に製作することができると共に、カバー部材１３の筒状部１６を弾力的に押し広げて筒状収納部１１の外周に容易に装着することができるので、カバー部材１３を筒状収納部１１に簡単にかつ容易に取り付けることができる。
【００４９】
また、複数列の圧接突起部２０それぞれは、カバー部材１３の筒状部１６の内周面と外周面とに突出する断面ほぼ円形状に形成されていることにより、カバー部材１３の筒状部１６を筒状収納部１１の外周に装着した際に、筒状部１６の外周面に突出する円弧状の部分２０ｂによって、筒状部１６の内周面に突出する円弧状の部分２０ａを筒状収納部１１の外周面に強く押し付けることができる。
【００５０】
このため、複数列の圧接突起部２０は、筒状部１６の内周面に突出する円弧状の部分２０ａを、弾力的に押し潰した状態、つまり弾力的に圧縮変形した状態で、筒状収納部１１の外周面を強く締め付けることができるので、複数列の圧接突起部２０を筒状収納部１１の外周面に圧接させることができる。これにより、筒状部１６を筒状収納部１１の外周面に確実にかつ強固に装着することができるので、カバー部材１３によって筒状収納部１１の内端部１１ａを確実に密封することができ、これにより、より一層、防水性を高めることができる。
【００５１】
また、カバー部材１３は、筒状収納部１１の内端部１１ａに圧接する圧接部１９が設けられていることにより、カバー部材１３の筒状部１６を筒状収納部１１の外周面に装着した際に、筒状部１６の圧接部１９を筒状収納部１１の内端部１１ａに押し当てることができ、これにより筒状部１６の圧接部１９を筒状収納部１１の内端部１１ａに弾力的に押し潰した状態で、つまり弾力的に圧縮変形させた状態で圧接させることができるので、これによっても、より一層、防水性を高めることができる。
【００５２】
この場合、下部ケース３の内部側に位置する筒状部１６の下部には、厚肉部１８が筒状部１６内に突出した状態で形成されているので、筒状部１６が筒状収納部１１の外周面に装着された際に、厚肉部１８の上端面を筒状収納部１１の内端部１１ａに弾接させることができると共に、この厚肉部１８の上端面に圧接部１９が設けられているので、厚肉部１８の上端面が筒状収納部１１の内端部１１ａに弾接する際に、圧接部１９を筒状収納部１１の内端部１１ａに確実に圧接させることができる。
【００５３】
さらに、このリセット用のスイッチ部１０では、キー接点部１４が、膨出部１７に対応するカバー部材１３の下部に配置された基板２２と、この基板２２に設けられて膨出部１７に対応する一対の固定接点２３と、膨出部１７に設けられて一対の固定接点２３に接離可能に接触する可動接点２４と、を有していることにより、操作部１２によってカバー部材１３の膨出部１７が押されて弾性変形した際に、キー接点部１４を確実にかつ良好にスイッチ動作させることができる。
【００５４】
すなわち、このキー接点部１４は、操作部１２によってカバー部材１３の膨出部１７が押されて弾性変形した際に、膨出部１７内に設けられた可動接点２４を一対の固定接点２３に接触させることができるので、この可動接点２４によって一対の固定接点２３を導通させることができ、これによりキー接点部１４を確実にオン動作させてオン信号である電気信号を出力させることができる。
【００５５】
また、このキー接点部１４は、カバー部材１３の膨出部１７に対する操作部１２の押圧力が解除されると、膨出部１７が元の形状に弾性復帰することにより、膨出部１７内に設けられた可動接点２４を一対の固定接点２３から確実に離間させることができるので、可動接点２４による一対の固定接点２３の導通状態を解除することができ、これによりキー接点部１４を確実にかつ良好にオフ状態にすることができる。
【００５６】
なお、上述した実施形態では、カバー部材１３が光を透過しない弾性材料で形成されている場合について述べたが、これに限らず、透明または半透明などの光透過性を有する弾性材料でカバー部材１３を形成しても良い。このような光透過性を有する弾性材料でカバー部材１３を形成した場合には、カバー部材１３の筒状部１６を筒状収納部１１の外周面に装着する際に、筒状部１６の内部が見えるので、筒状収納部１１に対する筒状部１６の取付位置および取付状態を目視により確認することができる。
【００５７】
また、上述した実施形態では、カバー部材１３の筒状部１６の外周に圧接突起部２０を環状に２列設けた場合について述べたが、必ずしも圧接突起部２０は２列である必要はなく、３列以上設けた構成であっても良い。
【００５８】
さらに、上述した実施形態では、複数列の圧接突起部２０それぞれが、カバー部材１３の筒状部１６の内周面と外周面とに突出する断面ほぼ円形状に形成されている場合について述べたが、必ずしも圧接突起部２０は、カバー部材１３の筒状部１６の内周面と外周面とに突出する断面ほぼ円形状に形成されている必要なく、カバー部材１３の筒状部１６の内周面のみに断面ほぼ円弧状に突出した構成であっても良い。
【００５９】
なおまた、上述した実施形態では、リセット用のスイッチ部１０に適用した場合について述べたが、必ずしもリセット用のスイッチ部１０である必要なく、トリガー用のスイッチ釦８、または電源用のスイッチ釦、あるいはキー釦などの各種の押釦スイッチに広く適用することができる。
【００６０】
さらに、上述した実施形態では、携帯端末機に適用した場合について述べたが、必ずしも携帯端末機である必要はなく、例えば携帯電話機や携帯型の情報処理装置などの各種の電子機器に広く適用することができる。
【００６１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６２】
（付記）
請求項１に記載の発明は、操作部を収納する筒状収納部が内部に突出して設けられたケースと、前記ケースの前記筒状収納部の外周に装着される筒状部、および前記筒状収納部を塞いだ状態で前記操作部によって押された際に弾性変形してスイッチ接点部をスイッチ動作させる膨出部を有するカバー部材と、を備え、前記カバー部材の前記筒状部には、前記筒状収納部の外周面に環状に圧接する圧接突起部が複数列設けられていることを特徴とするスイッチ構造である。
【００６３】
請求項２に記載の発明は、請求項１に記載のスイッチ構造において、前記カバー部材は、前記筒状部、前記膨出部、および前記複数列の圧接突起部が弾性材料で一体に形成されていることを特徴とするスイッチ構造である。
【００６４】
請求項３に記載の発明は、請求項１または請求項２に記載のスイッチ構造において、前記複数列の圧接突起部それぞれは、前記カバー部材の前記筒状部の内周面と外周面とに突出する断面ほぼ円形状に形成されていることを特徴とするスイッチ構造である。
【００６５】
請求項４に記載の発明は、請求項１〜請求項３のいずれかに記載のスイッチ構造において、前記カバー部材は、前記ケースの内部側に位置する前記筒状収納部の内端部に圧接する圧接部が設けられていることを特徴とするスイッチ構造である。
【００６６】
請求項５に記載の発明は、請求項１〜請求項４のいずれかに記載のスイッチ構造において、前記スイッチ接点部は、前記膨出部に対応する前記カバー部材の外面に配置された基板と、この基板に設けられて前記膨出部に対応する固定接点と、前記膨出部に設けられて前記固定接点に接離可能に接触する可動接点と、を有していることを特徴とするスイッチ構造である。
【００６７】
請求項６に記載の発明は、請求項１〜請求項５のいずれかに記載のスイッチ構造において、前記カバー部材は、光透過性を有する弾性材料で形成されていることを特徴とするスイッチ構造である。
【００６８】
請求項７に記載の発明は、請求項１〜請求項６のいずれかに記載されたスイッチ構造を備えていることを特徴とする電子機器である。
【符号の説明】
【００６９】
１  機器ケース
２  上部ケース
３  下部ケース
１０  スイッチ部
１１  筒状収納部
１１ａ  内端部
１２  操作部
１３  カバー部材
１４  キー接点部
１５  貫通孔
１６  筒状部
１７  膨出部
１８  厚肉部
１９  圧接部
２０  圧接突起部
２２  基板
２３  固定接点
２４  可動接点
【図１】
2018166110.tif 000003
【図２】
2018166110.tif 000004
【図３】
2018166110.tif 000005
【図４】
2018166110.tif 000006
【図５】
2018166110.tif 000007
【手続補正書】
【提出日】平成30年7月27日(2018.7.27)
【手続補正２】
【補正対象書類名】明細書
【補正対象項目名】０００１
【補正方法】変更
【補正の内容】
【０００１】
この発明は、電子機器及び電子機器の製造方法に関する。
【手続補正３】
【補正対象書類名】明細書
【補正対象項目名】０００６
【補正方法】変更
【補正の内容】
【０００６】
この発明が解決しようとする課題は、簡単な構造で、防水性を確保することができる電子機器及び電子機器の製造方法を提供することである。
【手続補正４】
【補正対象書類名】明細書
【補正対象項目名】０００７
【補正方法】変更
【補正の内容】
【０００７】
この発明に係る電子機器の製造方法は、一方の開口部の直径が他方の開口部の直径よりも小さく設けられた筒状の収納部に、前記一方の開口部または前記他方の開口部の直径方向と平行に配置される部分であって直径が最大になる部分の直径が前記一方の開口部の直径よりも大きく且つ前記他方の開口部の直径よりも小さく形成されたスイッチ操作部材を収納する第１工程と、前記第１工程で前記収納部に収納された前記スイッチ操作部材を、前記他方の開口部を所定のカバー部材で塞ぐことにより、前記収納部に閉じ込める第２工程と、を有し、前記カバー部材には、前記収納部の外周面に装着される筒状部が設けられており、前記筒状部には、前記収納部の外周面に環状に圧接する圧接突起部が複数列設けられており、前記第２工程において、前記カバー部材は、前記複数列の圧接突起部のうちの少なくとも一つが前記スイッチ操作部材における前記直径が最大になる部分の周囲に配置されるように、前記筒状部が前記収納部の外周面に装着される、ことを特徴とする。
また、この発明に係る電子機器は、一方の開口部の直径が他方の開口部の直径よりも小さく設けられた筒状の収納部と、前記一方の開口部または前記他方の開口部の直径方向と平行に配置される部分であって直径が最大になる部分の直径が前記一方の開口部の直径よりも大きく且つ前記他方の開口部の直径よりも小さく形成されたスイッチ操作部材と、前記収納部に収納された前記スイッチ操作部材を、前記他方の開口部を塞ぐことにより、前記収納部に閉じ込めるためのカバー部材と、を備え、前記カバー部材には、前記収納部の外周面に装着される筒状部が設けられており、前記筒状部には、前記収納部の外周面に環状に圧接する圧接突起部が複数列設けられており、前記カバー部材は、前記複数列の圧接突起部のうちの少なくとも一つが前記スイッチ操作部材における前記直径が最大になる部分の周囲に配置されるように、前記筒状部が前記収納部の外周面に装着されている、ことを特徴とする。
【手続補正５】
【補正対象書類名】明細書
【補正対象項目名】０００８
【補正方法】変更
【補正の内容】
【０００８】
この発明によれば、簡単な構造で、防水性を確保することができる。
【手続補正６】
【補正対象書類名】特許請求の範囲
【補正対象項目名】全文
【補正方法】変更
【補正の内容】
【特許請求の範囲】
【請求項１】
一方の開口部の直径が他方の開口部の直径よりも小さく設けられた筒状の収納部に、前記一方の開口部または前記他方の開口部の直径方向と平行に配置される部分であって直径が最大になる部分の直径が前記一方の開口部の直径よりも大きく且つ前記他方の開口部の直径よりも小さく形成されたスイッチ操作部材を収納する第１工程と、
前記第１工程で前記収納部に収納された前記スイッチ操作部材を、前記他方の開口部を所定のカバー部材で塞ぐことにより、前記収納部に閉じ込める第２工程と、
を有し、
前記カバー部材には、前記収納部の外周面に装着される筒状部が設けられており、
前記筒状部には、前記収納部の外周面に環状に圧接する圧接突起部が複数列設けられており、
前記第２工程において、前記カバー部材は、前記複数列の圧接突起部のうちの少なくとも一つが前記スイッチ操作部材における前記直径が最大になる部分の周囲に配置されるように、前記筒状部が前記収納部の外周面に装着される、
ことを特徴とする電子機器の製造方法。
【請求項２】
前記複数列の圧接突起部は、光透過性を有する弾性材料で形成されている、
ことを特徴とする請求項１に記載の電子機器の製造方法。
【請求項３】
前記カバー部材には、前記他方の開口部に対応する位置に前記収納部の内部側向かって突出する突出部が設けられている、
ことを特徴とする請求項１または２に記載の電子機器の製造方法。
【請求項４】
前記第２工程において、前記カバー部材は、前記複数列の圧接突起部のうちの少なくとも一つが前記スイッチ操作部材における前記直径が最大になる部分とは異なる部分の周囲に配置されるように、前記筒状部が前記収納部の外周面に装着される、
ことを特徴とする請求項１から３の何れかに記載の電子機器の製造方法。
【請求項５】
前記スイッチ操作部材は、前記一方の開口部側に配置される端部の直径が前記一方の開口部よりも大きく形成されている、
ことを特徴とする請求項１から４の何れかに記載の電子機器の製造方法。
【請求項６】
一方の開口部の直径が他方の開口部の直径よりも小さく設けられた筒状の収納部と、
前記一方の開口部または前記他方の開口部の直径方向と平行に配置される部分であって直径が最大になる部分の直径が前記一方の開口部の直径よりも大きく且つ前記他方の開口部の直径よりも小さく形成されたスイッチ操作部材と、
前記収納部に収納された前記スイッチ操作部材を、前記他方の開口部を塞ぐことにより、前記収納部に閉じ込めるためのカバー部材と、
を備え、
前記カバー部材には、前記収納部の外周面に装着される筒状部が設けられており、
前記筒状部には、前記収納部の外周面に環状に圧接する圧接突起部が複数列設けられており、
前記カバー部材は、前記複数列の圧接突起部のうちの少なくとも一つが前記スイッチ操作部材における前記直径が最大になる部分の周囲に配置されるように、前記筒状部が前記収納部の外周面に装着されている、
ことを特徴とする電子機器。